(57)【要約】【課題】  従来の入力表示システムは、ユーザが単一（即ち、シングルユーザ）である場合しか想定されていない。そのため、例えば、多人数で１つのデータにアクセスすることによって、手書き入力した内容を作成して表示することはできなかった。また、遠隔地にある人同士が互いに持っているアイデア等を互いに表現し合う場合に、各々が手書き等の表現しやすい手法で表現し合うことができなかった。【解決手段】サーバ３００は、サーバ機能を果たすための入力表示プログラムを実行することによって、セット２００ａ〜２００ｃの各モニタに対して、描画用エディタ１２０を表示するための情報（信号）を送信する。更に、サーバ３００は、セット２００ａ〜２００ｃの何れかによって描かれた描画内容を受信した場合は、その内容を描画用エディタ１２０に記載して上述同様にセット２００ａ〜２００ｃに送信する。【選択図】図１
2005122614.tif 000002
【特許請求の範囲】
【請求項１】
電子ペンより出力される信号を受信する受信手段と、
該受信手段が受信した信号に基づいて上記電子ペンで描かれた内容を表示する表示手段と、を具備する入力表示システムにおいて、
上記受信手段と上記表示手段との組み合わせを具備する複数のデータ処理装置を、互いに接続することによって、上記電子ペンで描かれた内容を上記表示手段に表示することを特徴とする入力表示システム。
【請求項２】
前記受信手段、前記表示手段、又は前記データ処理装置の何れかが、前記電子ペンによる入力が可能な入力モードに切り替えるための切替手段を具備してなる請求項１記載の入力表示システム。
【請求項３】
前記受信手段、前記表示手段、又は前記データ処理装置の何れかが、前記電子ペンによる入力が可能な入力モードになったことを報知するための報知手段を具備してなる請求項１又は請求項２のいずれかに記載の入力表示システム。
【発明の詳細な説明】
【技術分野】
【０００１】
本発明は、電子ペンより出力される信号を受信する受信手段と、該受信手段が受信した信号に基づいて電子ペンで描かれた内容を表示する表示手段と、を具備する入力表示システムに関するものである。
【背景技術】
【０００２】
従来より、電子ペンより出力される信号を受信手段で受信し、該信号に基づいて電子ペンで描かれた内容を表示するモニタ等の表示手段を具備するパーソナルコンピュータ等のデータ処理装置を用いた入力表示システムがある。
具体的には、電子ペンは、そのペン先に筆圧が掛かった場合に、該電子ペン自体に設けられる発信部から超音波又は赤外線等の信号を出力する。
受信手段は、電子ペンの発信部から出力された信号を受信すると共に電気信号に変換して、該信号をデータ処理装置に送信する。
そして、データ処理装置は、上記信号に基づいて電子ペンの軌跡や位置に関する情報を算出し、電子ペンで書かれた内容をモニタの画面上に表示するための仮想的な紙（所謂、描画用エディタ）に電子ペンによって描かれた内容を表示する。
即ち、この入力表示システムは、手書きで描かれた内容をモニタ等の表示手段に表示するものである。
このような入力表示システムの具体例としては、下記特許文献１、２に示すようなものがある。
また、電子ペンのペン先からはインクも出る構造となっているため、ユーザは電子ペンを用いて実際に紙面に該インクで描くことも可能である。
また、上記受信手段は、該紙等のシート材を挟持することによって固定する機能を具備している。
【０００３】
【特許文献１】特表２００２−５３５７０４号公報
【特許文献２】特開２０００−５７０９４号公報
【発明の開示】
【発明が解決しようとする課題】
【０００４】
ところで、上述のような従来の入力表示システムは、ユーザが単一（即ち、シングルユーザ）である場合しか想定されていない。
そのため、例えば、多人数で１つのデータにアクセスすることによって、手書き入力した内容を描画して表示することはできなかった。
また、遠隔地にある人同士が互いに持っているアイデア等を互いに表現し合う場合に、各々が手書き等の表現しやすい手法で表現し合うような簡便なシステムが無かったため、互いの意思疎通が円滑に行えない場合があった。
そこで、本発明は上記事情に鑑みてなされたものであり、その目的とするところは、各々が手書き等の表現しやすい手法で表現し合うような簡便な入力表示システムを提供することである。
【課題を解決するための手段】
【０００５】
本発明の解決しようとする課題は以上の如くであり、次にこの課題を解決するための手段を説明する。
【０００６】
即ち、請求項１においては、電子ペンより出力される信号を受信する受信手段と、
該受信手段が受信した信号に基づいて上記電子ペンで描かれた内容を表示する表示手段と、を具備する入力表示システムにおいて、
上記受信手段と上記表示手段との組み合わせを具備する複数のデータ処理装置を、互いに接続することによって、上記電子ペンで描かれた内容を上記表示手段に表示することを特徴とする入力表示システムとして構成されている。
【０００７】
請求項２においては、前記受信手段、前記表示手段、又は前記データ処理装置の何れかが、前記電子ペンによる入力が可能な入力モードに切り替えるための切替手段を具備してなる入力表示システムとして構成されている。
【０００８】
請求項３においては、前記受信手段、前記表示手段、又は前記データ処理装置の何れかが、前記電子ペンによる入力が可能な入力モードになったことを報知するための報知手段を具備してなる入力表示システムとして構成されている。
【発明の効果】
【０００９】
本発明の効果として、以下に示すような効果を奏する。
【００１０】
請求項１の構成により、簡便なシステムで、複数の人が１つのデータにアクセスすることによって、閲覧、書き込み、共有することが可能となって、例えば、遠隔地にある人同士が互いに持っているアイデア等を容易に表現し合うことが可能となる。
【００１１】
請求項２の構成により、入力したいユーザは該切替手段を操作することによって、容易に入力することが可能となる。
【００１２】
請求項３の構成により、ユーザの手元にある前記受信手段、前記表示手段、又は前記データ処理装置の何れかに設けられる報知手段によって、入力可能なユーザに対して入力モードであることを容易に知らせることが可能となる。
【発明を実施するための最良の形態】
【００１３】
以下、添付図面を参照しながら、本発明を実施するための最良の形態について説明し、本発明の理解に供する。尚、以下の本発明を実施するための最良の形態は、本発明を具体化した一例であって、本発明の技術的範囲を限定する性格のものではない。
ここに、図１は受信手段と表示手段との組み合わせを互いに接続した本発明の入力表示システムの一例である概略構成図、図２は一組の受信手段と表示手段との概略構成の一例を示した構成図、図３は一組の受信手段と表示手段とのシステム上の概略構成の一例を示したブロック図、図４は表示手段に表示された表示内容の一例図、図５は表示手段に表示された表示内容の一例図である。
【００１４】
図１に示すように、ＬＡＮ、ＷＡＮ、ＵＳＢ、電話回線、無線ＬＡＮ、Ｂｌｕｅｔｏｏｔｈ等の有線又は無線の通信経路よりなるネットワーク４００にサーバ３００が接続されている。
更に、ネットワーク４００には、電子ペンより出力される信号を受信する受信手段の一例である受信部２０と、該受信部２０が受信した信号に基づいて電子ペンで描かれた内容を表示するための表示手段の一例であるモニタとの組み合わせを具備するパーソナルコンピュータ１０（データ処理装置の一例）で構成されるセット２００が、互いに複数接続されている。
図１に示す場合、３つのセット２００がネットワーク４００に接続されている場合を示しており、その各々のセット２００は、符号の末尾にアルファベット「ａ」、「ｂ」、「ｃ」を付加することによって各セットを区別して表記している。
したがって、図１に示す場合、各セット２００を構成するものであって、符号のアルファベットを除く数字部分が同じであれば、それらは互いに同様の機能を有する装置であることを示している。
また、具体例として、セット２００ａのユーザはＡさん、セット２００ｂのユーザはＢさん、セット２００ｃのユーザはＣさんが、各々使用する場合を想定して説明する。
ここで、各セット２００の構成について、図２及び図３を用いて説明する。
【００１５】
＜各セット２００の構成＞
上記セット２００は、例えば図２に示すように構成されている。
上記セット２００は、主に、電子ペン３０と、受信部２０と、該受信部２０が受信した信号に基づいて電子ペン３０で書かれた内容を表示するモニタ１５を具備するパーソナルコンピュータ１０（以下、「ＰＣ１０」と表記））と、を具備して概略構成されている。
電子ペン３０は、ペン先３１が紙等のシート材に接触しているかを検知する筆圧検知機能を有し、筆圧が検知された場合に超音波又は赤外線等による信号を出力する発信部３２が設けられている。
受信部２０は、電子ペン３０の発信部３２より出力された信号を受信する受信面２１と、電子ペン３０のペン先３１で押されることによって動作モード等を切り替えるための複数（図２の例では５つ）のスイッチが設けられるスイッチ部２３と、受信部２０と着脱可能な下敷き２２とを具備して概略構成されている。
また、図２に示すように、受信部２０は、紙２４等を挟持することによって固定する機能も具備している。
また、スイッチ部２３のスイッチのうち、１番はクリア機能（即ち、描画用エディタ１２０に記載された内容を消去する機能）、５番はコピー機能（即ち、描画用エディタ１２０に描かれた内容の複製をＲＡＭ１３等に一時的に記憶する機能）としても良い。
ＰＣ１０は、受信部２０が受信した信号に基づいて画像処理や演算等を行う本体１７と、該本体１７で処理された情報を表示するモニタ１５とを具備し、その他マウス（図３参照）等のポインティングデバイスや、キーボード（図３参照）等の入力装置を具備しても良い。
また、受信部２０とＰＣ１０とはＵＳＢ等によって接続される構成であっても良い。
【００１６】
＜セット２００のシステム構成＞
次に、上述のように構成されるセット２００のシステム上の概略構成を図３のブロック図を用いて説明する。
受信部２０、電子ペン３０、マウス４０、キーボード５０等は、ＰＣ１０に設けられる通信部１４を介してＣＰＵ１６に接続されている。
また、セット２００の動作プログラム（即ち、入力表示プログラム）等のデータを格納する固定ディスクドライブ等のストレージデバイス１１の他、ＲＯＭ１２・ＲＡＭ１３等の記憶手段もＣＰＵ１６に接続されている。
また、モニタ１５もグラフィックカード（不図示）を介してＣＰＵ１６に接続されている。
このように構成されているので、ＣＰＵ１６は、ストレージデバイス１１より上記入力表示プログラムを読み出してＲＡＭ１３等で展開して実行することによって、該プログラムに従って画像処理を行ったり、上述した接続機器を制御する等の処理の統括を行ったりしている。
また、図３に示すＰＣ１０において、モニタ１５を除いたものが上記本体１７に相当するものとしても良い。
【００１７】
サーバ３００のシステム上の基本的な概略構成は、上記ＰＣ１０の構成と同様である。
即ち、サーバ３００とＰＣ１０との相違は、サーバ３００がサーバ機能を発揮し、ＰＣ１０は端末機能を発揮する点で異なる。
したがって、サーバ３００が具備するストレージデバイスには、本発明の入力表示システムのサーバ機能を果たすための入力表示プログラムが格納されており、ＰＣ１０のストレージデバイス１１には端末機能を果たすための入力表示プログラムが格納されている。
具体的には、サーバ３００は、該サーバ機能を果たすための入力表示プログラムを実行することによって、セット２００ａ〜２００ｃに対して、図４に示すような描画用エディタ１２０を表示するための情報（信号）を送信する。
更に、サーバ３００は、セット２００ａ〜２００ｃの何れかによって描かれた描画内容を受信した場合は、その内容を描画用エディタ１２０に記載して上述同様にセット２００ａ〜２００ｃに送信する。
つまり、このようなサーバ３００の処理によって、セット２００ａ〜２００ｃは、上記描画用エディタ１２０のような同一のデータにアクセスすることによって、閲覧、書き込み、共有する処理を実行することが可能となる。
【００１８】
＜切替手段＞
上述のように構成された受信部２０とＰＣ１０との組み合わせのセット２００に関し、受信部２０のスイッチ部２３のスイッチのうちの何れか１つを、電子ペン３０による入力が可能な入力モードに切り替えるための切替手段として機能させても良い。
以下では、スイッチ部２３の４番のスイッチが上記切替手段としての機能を有するものとして説明し、該スイッチ部２３の４番のスイッチが操作された場合の具体例について説明する。
例えば、サーバ３００が、図４に示すような描画用エディタ１２０を、セット２００ａ〜２００ｃに送信している場合を想定する。
このとき、例えば、描画用エディタ１２０には該描画用エディタ１２０自体の状態を表示するための表示欄１２１が設けられており、サーバ３００は、この表示欄１２１に、何れのセット２００によっても書き込み処理が行われていないフリーモードである旨を表示する場合を考える。
このフリーモードにおいて、何れかのセット２００の受信部２０のスイッチ部２３の４番のスイッチが押圧された場合に、サーバ３００は、その旨を該押圧が行われた受信部２０より受信することによって、該押圧が行われたセット２００による入力を可能にする入力モードに切り替える。
このとき、サーバ３００は、該押圧が行われたセット２００を入力モードの切り替えると共に、例えば、図５に示すように表示欄１２１の内容を「○○○さん  入力中」と表示して、該押圧が行われたセット２００の所有者のユーザ名を表示するようにしても良い。
これは、例えば、各セット２００にＡさん、Ｂさん、Ｃさんの氏名又はユーザ名等のユーザ情報を予め登録しておき、各セット２００がネットワーク４００等に接続されたときに、サーバ３００が、各セット２００から該ユーザ情報を取得することで各セット２００のユーザを認識することにより可能となる。
上述のように切替手段が操作されることによって、ユーザが、切替手段の一例であるスイッチ部２３の４番のスイッチを押圧することで、容易に入力モードに切り替えることが可能となって、誰でも入力することが可能となる。
勿論、上記切替手段の一例であるスイッチ部２３の４番のスイッチと同様の機能を有するスイッチを、モニタ１５又はＰＣ１０に設けても良い。
【００１９】
＜他の動作例＞
また、他の例としては例えば、Ｂさん（セット２００ｂ）が入力モードである場合に、Ａさん（セット２００ａ）に入力モードに切り替える場合は、以下のようにして切り替えても良い。
例えば、サーバ３００は、現状入力モードにあるＢさんによる描画が中断され、その中断時間が予め定められた所定の時間に達したか否かを判断する。
即ち、Ｂさんによる描画がある一定の時間実行されてないことを判断する。
この判断は、例えば、サーバ３００のＲＯＭ等に該所定の時間を予め記憶させておき、サーバ３００が、入力モードにあるセット２００（上記例におけるセット２００ｂ）からの電子ペン３０による描画の信号を受信していない時間が、該所定の時間に達したか否かを判断することによって行っても良い。
この判断で、該所定の時間に達したと判断された場合に、サーバ３００は、描画用エディタ１２０のモードをフリーモードにする。
このフリーモードにおいて、例えば上述同様に、Aさんが、セット２００ａのスイッチ部２３の４番のスイッチを押圧することによって、Ａさんを入力モードとすることが可能になる。
【００２０】
更に他の例としては、サーバ３００が、上記所定の時間中に切替手段が押されたことを記憶することによって、次に入力モードになる人を予約するようにしても良い。
例えば、上記所定の時間中において、Ａさんによってセット２００ａのスイッチ部２３の４番スイッチが押圧された場合に、サーバ３００は、該押圧された事実をＲＡＭ等の記憶手段に記憶する。即ち、Ａさんによる入力モードの要求を受信して記憶する。
そして、上記所定の時間が経過した場合に、サーバ３００は、該要求に基づいてＡさん（セット２００ａ）を入力モードにする。
このように、サーバ３００が、上記所定の時間中における入力モードに切り替える要求を受け付けて記憶（予約）することで、上記所定の時間が経過した場合に、上記フリーモードを経ずに直接的に入力モードを要求した人（セット２００）を入力モードにすることが可能となって使い勝手が向上する。
【００２１】
＜報知手段＞
上述においては、描画用エディタ１２０の表示欄１２１に入力モードの状態にあるユーザ名を表示するようにしているが、他の手法として、セット２００のハードウェア自体に入力モードであることをユーザに報知するための報知手段を設けても良い。
このような報知手段の一例としては、例えば、光によって知らせるランプや、音声によってユーザに知らせるためのスピーカ等であっても良い。
ここでは、図２に示すように、報知手段の一例としてランプ２７を受信部２０の上面に設けても良い。
このランプ２７は、入力モードになった場合に点灯し、非入力モードになった場合に消灯するものであっても良い。
これによって、描画用エディタ１２０の表示のみならず、ユーザの手元の受信部２０に設けられるランプ２７等の報知手段によって、入力可能なユーザに対して入力モードであることを報知することが可能となる。
勿論、上記報知手段の一例であるランプ２７と同様の機能を有するランプ等を、モニタ１５又はＰＣ１０に設けても良い。
【００２２】
＜具体例＞
上述のように構成された入力表示システムが作動した場合の一具体例について説明する。
例えば、図１に示すように、Ａさんはセット２００ａを用いて紙２４の左上部に「ＳＳＳ」と、Ｂさんはセット２００ｂを用いて紙２４の中央部に「ＴＴＴ」と、Ｃさんはセット２００ｃを用いて紙２４の右下部に「ＵＵＵ」と、各々描いた場合を想定する。
この場合に、サーバ３００は、上記各人が入力した内容を図５に示す描画用エディタ１２０にまとめて表示する。
即ち、各人が電子ペンで描いた内容は、上述したように各々の受信部２０に固定される紙２４に描かれた内容であるが、サーバ３００は、各々の入力モードにおいて描かれた内容を図５に示すように１つの描画用エディタ１２０上にまとめて表示する。
例えば、Ａさん→Ｂさん→Ｃさんの順で入力モードが移行した場合は、描画用エディタ１２０には「ＳＳＳ」→「ＴＴＴ」→「ＵＵＵ」の順で描画が行われることになる。
また、描画用エディタ１２０に描画した内容を消去する場合は、以下のように行っても良い。
入力モードにあるユーザによって、消去する範囲がＰＣ１０に接続されるマウス４０（図３参照）等のポインティングデバイスのポインタ２０１（図５参照）で包囲され、キーボード５０（図３参照）上のデリートキー等が押された場合に、サーバ３００は、該包囲された範囲の描画を消去する。
また、描画用エディタ１２０上における描画内容は、自身が描いた描画内容のみを消去することが可能で、他人の描画内容を消去することができないようにしても良い。
これは、各人が描画した描画内容に各人のユーザ名等の識別情報を含ませることで、サーバ３００が描画用エディタ１２０の描画内容を識別可能となることによって、可能となる。
総じて、上述のように動作することによって、簡便なシステムで、複数の人が１つのデータにアクセスすることによって、閲覧、書き込み、共有することが可能となる。
また、遠隔地にある人同士が互いに持っているアイデア等を、本システムを用いることによって容易に表現し合うことが可能なる。
【図面の簡単な説明】
【００２３】
【図１】受信手段と表示手段との組み合わせを互いに接続した本発明の入力表示システムの一例である概略構成図。
【図２】一組の受信手段と表示手段との概略構成の一例を示した構成図。
【図３】一組の受信手段と表示手段とのシステム上の概略構成の一例を示したブロック図。
【図４】表示手段に表示された表示内容の一例図。
【図５】表示手段に表示された表示内容の一例図。
【符号の説明】
【００２４】
１０    ＰＣ
１１    ストレージデバイス
１４    通信部
１５    モニタ
２０    受信部
２３    スイッチ部
２７    ランプ
３０    電子ペン
３３    スイッチ
４０    マウス
２００    セット
３００    サーバ
【図１】
2005122614.tif 000003
【図２】
2005122614.tif 000004
【図３】
2005122614.tif 000005
【図４】
2005122614.tif 000006
【図５】
2005122614.tif 000007